(57)【要約】【課題】組み合わせ玩具の視覚効果を向上をさせるための電気的接続構造を備えたポールフレームセットを提供する。【解決手段】第１嵌合部と、第２嵌合部と、正極導電部材と負極導電部材とを有する電気接続モジュールと、前記第１嵌合部及び第２嵌合部に電気接続される発光素子とを有するパイプと、中空の本体と、前記本体に形成されると共に、前記第１嵌合部を嵌合させる２つ以上の連結部と、前記本体内に設けられ、正極通電部材と負極通電部材とを有する通電ユニットとを備え、前記正極通電部材は、前記本体の連結部の内側に位置する正極接続弾性端子とを有し、前記負極通電部材は、前記本体の連結部の内側に位置する負極接続弾性端子とを有する連結部材とを有することを特徴とする。【選択図】図１
2012200299.tif 000002
【特許請求の範囲】
【請求項１】
透光性を有し、中空状を呈し、両端と、一端に形成される第１嵌合部と、他端に形成される第２嵌合部と、内部に設けられる電気接続モジュールと、内部に設けられる１つ以上の発光素子とを有し、前記電気接続モジュールは、正極導電部材と、負極導電部材とを有し、前記正極導電部材は、前記発光素子に電気接続され、本体と、両端と、該両端に夫々形成される第１正極接続部及び第２正極接続部とを具備し、前記負極導電部材は、前記発光素子に電気接続され、本体と、両端と、該両端に夫々形成される第１負極接続部及び第２負極接続部とを具備し、前記第１正極接続部及び第１負極接続部は前記第１嵌合部の内側に位置すると共に、前記第２正極接続部及び第２負極接続部は前記第２嵌合部の内側に位置するパイプと、
中空の本体と、前記本体に形成されると共に、前記第１嵌合部を嵌合させる２つ以上の連結部と、前記本体内に設けられ、正極通電部材と負極通電部材とを有する通電ユニットとを備え、前記正極通電部材は、両端と、該両端に夫々形成されると共に、前記本体の連結部の内側に位置する正極接続弾性端子とを有し、前記負極通電部材は、両端と、該両端に夫々形成されると共に、前記本体の連結部の内側に位置する負極接続弾性端子とを有する連結部材とを有することを特徴とする電気的接続構造を備えたポールフレームセット。
【請求項２】
前記電気的接続構造を備えたポールフレームセットは、固定柱を有し、
前記電気接続モジュールの正極導電部材は、前記固定柱に設けられ、
前記電気接続モジュールの負極導電部材は、前記正極導電部材に接触しないように前記固定柱に設けられることを特徴とする請求項１に記載の電気的接続構造を備えたポールフレームセット。
【請求項３】
前記正極導電部材の本体は、前記固定柱内に軸方向に貫設され、
前記正極導電部材の一端に形成される第１正極接続部は、前記固定柱の上端に位置し、
前記正極導電部材の他端に形成される第２正極接続部は、前記固定柱の下端に位置することを特徴とする請求項２に記載の電気的接続構造を備えたポールフレームセット。
【請求項４】
前記負極導電部材の本体は、細長いプレート状を呈し、
前記負極導電部材の一端に形成される第１負極接続部は、ボウル状を呈し、前記第１嵌合部の内径に対応する外径と、前記第１嵌合部の内周壁に当接される外環壁と、中央位置と、該中央位置に形成され、前記固定柱の上端の近傍を挿入させる貫通穴とを有することを特徴とする請求項３に記載の電気的接続構造を備えたポールフレームセット。
【請求項５】
前記電気的接続構造を備えたポールフレームセットは、前記電気接続モジュールの正極導電部材、及び負極導電部材に接続される１組の導線を具備する回路基板を有し、
前記パイプ内に設けられる発光素子は、前記回路基板に設置されると共に、前記導線により前記正極導電部材及び前記負極導電部材に電気接続される発光ダイオードであることを特徴とする請求項４に記載の電気的接続構造を備えたポールフレームセット。
【請求項６】
前記連結部材における、反対する２つの位置にそれぞれ１つの連結部が形成されることを特徴とする請求項１乃至請求項５の何れかの１項に記載の電気的接続構造を備えたポールフレームセット。
【請求項７】
両端を有するパイプと、前記パイプの両端に夫々一体に形成される連結部材とを有し、
各前記連結部材は、１つ以上の連結部を備え、
前記パイプ内には、
前記連結部材の連結部内に位置する１つ以上の正極接続部を有する正極導電部材と、
両端を有し、前記連結部内における、正極接続部に対応する位置に設けられる１つ以上の負極接続部を有する負極導電部材と、
前記正極導電部材及び負極導電部材に接続される１つ以上の発光素子と、
が設けられることを特徴とする電気的接続構造を備えたポールフレームセット。
【請求項８】
前記電気的接続構造を備えたポールフレームセットは、両端を備える固定柱を有し、
前記正極導電部材は、前記固定柱に設けられ、
前記負極導電部材は、前記正極導電部材に接触しないように前記固定柱に設けられることを特徴とする請求項７に記載の電気的接続構造を備えたポールフレームセット。
【請求項９】
前記固定柱の両端は夫々平面状を呈し、上端面及び下端面に形成され、
前記正極導電部材は固定柱内に設置され、その正極接続部はそれぞれ固定柱の上端面と下端面に位置することを特徴とする請求項８に記載の電気的接続構造を備えたポールフレームセット。
【請求項１０】
前記固定柱は、両端の近傍に夫々設けられる第1固定部と第２固定部とを有し、
前記負極導電部材は、前記固定柱の第1固定部及び第２固定部に位置決めされ、該負極導電部材の負極接続部は連結部内まで伸びることを特徴とする請求項９に記載の電気的接続構造を備えたポールフレームセット。
【請求項１１】
前記固定柱は中空状を呈し、
前記正極導電部材は、上接続ピンと、下接続ピンと、スプリングとからなり、
前記上接続ピンの一端及び下接続ピンの一端は、夫々固定柱の両端から突出すると共に、夫々正極接続部を構成し、
一方、前記負極導電部材の両端には、夫々該正極導電部材における上接続ピンと下接続ピンの外周に位置するコイルスプリング状の負極接続部が形成されることを特徴とする請求項８に記載の電気的接続構造を備えたポールフレームセット。
【請求項１２】
前記電気的接続構造を備えたポールフレームセットは、前記電気接続モジュールの正極導電部材、及び負極導電部材に接続される１組の導線を具備する回路基板を有し、
前記発光素子は、前記回路基板に設置されると共に、前記導線により前記正極導電部材及び前記負極導電部材に電気接続される発光ダイオードであることを特徴とする請求項１１に記載の電気的接続構造を備えたポールフレームセット。
【発明の詳細な説明】
【技術分野】
【０００１】
本発明は、特に電気的接続構造を備え、嵌合される時に電気接続を行い，内部に設けられる発光素子に給電するポールフレームセットに関する。
【背景技術】
【０００２】
一般大衆の知識水準が一定水準まで向上すると、大半の例えば玩具類など娯楽用品については、美観だけでなく、機能性または教育面においても求められる。
【０００３】
過度に複雑又は豪華な玩具には幼児の反応が薄いであるので、目と手の協調性を発達させる上で最適な玩具は、例えば相補的な形状を呈する組み合わせ玩具など、幼児にすでに熟知した物品の形状をさらに構成させることができるものが好ましい。
【０００４】
また、既定な遊び方に制限されない基本的な部材からなる、例えば特許文献１に示す積木やパズルなど従来の組み合わせ玩具は、パズル玩具は長短なパイプ、連結部材等で、幼児に多様な造形を有する例えばフレーム構成体などを構成させることができるので、娯楽性の提供及び知性の育成を図ることができる。
【先行技術文献】
【特許文献】
【０００５】
【特許文献１】特開２００２−０５２２６５号公報
【発明の概要】
【発明が解決しようとする課題】
【０００６】
しかしながら、上述した従来の組み合わせ玩具は、単純な形状のパイプと連結部材とからなるものであるので、視覚効果を向上させようとしても、せいぜい色付けの異なるパイプや連結部材を用いることしかないので、限られた効果しか望めない。故に、注意力を集中させるための視覚効果の向上を図る改善が必要である。
【０００７】
そこで、出願されたのが本発明であって、上記課題解決のため、互いに連結すると共に、電気接続を構成させることができるパイプと、前記パイプに連結すると共に、電気接続を構成させることができる連結部材と、前記パイプ内に取り付けられ、前記パイプ及び連結部材の電気接続からなる給電回路により電気を供給される光源とを有し、組み合わせ玩具の視覚効果を向上をさせるための電気的接続構造を備えたポールフレームセットを提供することを目的としている。
【課題を解決するための手段】
【０００８】
本願の請求項１の発明は、透光性を有し、中空状を呈し、両端と、一端に形成される第１嵌合部と、他端に形成される第２嵌合部と、内部に設けられる電気接続モジュールと、内部に設けられる１つ以上の発光素子とを有し、前記電気接続モジュールは、正極導電部材と、負極導電部材とを有し、前記正極導電部材は、前記発光素子に電気接続され、本体と、両端と、該両端に夫々形成される第１正極接続部及び第２正極接続部とを具備し、前記負極導電部材は、前記発光素子に電気接続され、本体と、両端と、該両端に夫々形成される第１負極接続部及び第２負極接続部とを具備し、前記第１正極接続部及び第１負極接続部は前記第１嵌合部の内側に位置すると共に、前記第２正極接続部及び第２負極接続部は前記第２嵌合部の内側に位置するパイプと、
中空の本体と、前記本体に形成されると共に、前記第１嵌合部を嵌合させる２つ以上の連結部と、前記本体内に設けられ、正極通電部材と負極通電部材とを有する通電ユニットとを備え、前記正極通電部材は、両端と、該両端に夫々形成されると共に、前記本体の連結部の内側に位置する正極接続弾性端子とを有し、前記負極通電部材は、両端と、該両端に夫々形成されると共に、前記本体の連結部の内側に位置する負極接続弾性端子とを有する連結部材とを有することを特徴とする電気的接続構造を備えたポールフレームセット、を提供する。
【０００９】
本願の請求項２の発明は、前記電気的接続構造を備えたポールフレームセットは、固定柱を有し、
前記電気接続モジュールの正極導電部材は、前記固定柱に設けられ、
前記電気接続モジュールの負極導電部材は、前記正極導電部材に接触しないように前記固定柱に設けられることを特徴とする請求項１に記載の電気的接続構造を備えたポールフレームセット、を提供する。
【００１０】
本願の請求項３の発明は、前記正極導電部材の本体は、前記固定柱内に軸方向に貫設され、
前記正極導電部材の一端に形成される第１正極接続部は、前記固定柱の上端に位置し、
前記正極導電部材の他端に形成される第２正極接続部は、前記固定柱の下端に位置することを特徴とする請求項２に記載の電気的接続構造を備えたポールフレームセット、を提供する。
【００１１】
本願の請求項４の発明は、前記負極導電部材の本体は、細長いプレート状を呈し、
前記負極導電部材の一端に形成される第１負極接続部は、ボウル状を呈し、前記第１嵌合部の内径に対応する外径と、前記第１嵌合部の内周壁に当接される外環壁と、中央位置と、該中央位置に形成され、前記固定柱の上端の近傍を挿入させる貫通穴とを有することを特徴とする請求項３に記載の電気的接続構造を備えたポールフレームセット、を提供する。
【００１２】
本願の請求項５の発明は、前記電気的接続構造を備えたポールフレームセットは、前記電気接続モジュールの正極導電部材、及び負極導電部材に接続される１組の導線を具備する回路基板を有し、
前記パイプ内に設けられる発光素子は、前記回路基板に設置されると共に、前記導線により前記正極導電部材及び前記負極導電部材に電気接続される発光ダイオードであることを特徴とする請求項４に記載の電気的接続構造を備えたポールフレームセット、を提供する。
【００１３】
本願の請求項６の発明は、前記連結部材における、反対する２つの位置にそれぞれ１つの連結部が形成されることを特徴とする請求項１乃至請求項５の何れかの１項に記載の電気的接続構造を備えたポールフレームセット、を提供する。
【００１４】
本願の請求項７の発明は、両端を有するパイプと、前記パイプの両端に夫々一体に形成される連結部材とを有し、
各前記連結部材は、１つ以上の連結部を備え、
前記パイプ内には、
前記連結部材の連結部内に位置する１つ以上の正極接続部を有する正極導電部材と、
両端を有し、前記連結部内における、正極接続部に対応する位置に設けられる１つ以上の負極接続部を有する負極導電部材と、
前記正極導電部材及び負極導電部材に接続される１つ以上の発光素子と、
が設けられることを特徴とする電気的接続構造を備えたポールフレームセット、を提供する。
【００１５】
本願の請求項８の発明は、前記電気的接続構造を備えたポールフレームセットは、両端を備える固定柱を有し、
前記正極導電部材は、前記固定柱に設けられ、
前記負極導電部材は、前記正極導電部材に接触しないように前記固定柱に設けられることを特徴とする請求項７に記載の電気的接続構造を備えたポールフレームセット、を提供する。
【００１６】
本願の請求項９の発明は、前記固定柱の両端は夫々平面状を呈し、上端面及び下端面に形成され、
前記正極導電部材は固定柱内に設置され、その正極接続部はそれぞれ固定柱の上端面と下端面に位置することを特徴とする請求項８に記載の電気的接続構造を備えたポールフレームセット、を提供する。
【００１７】
本願の請求項１０の発明は、前記固定柱は、両端の近傍に夫々設けられる第1固定部と第２固定部とを有し、
前記負極導電部材は、前記固定柱の第1固定部及び第２固定部に位置決めされ、該負極導電部材の負極接続部は連結部内まで伸びることを特徴とする請求項９に記載の電気的接続構造を備えたポールフレームセット、を提供する。
【００１８】
本願の請求項１１の発明は、前記固定柱は中空状を呈し、
前記正極導電部材は、上接続ピンと、下接続ピンと、スプリングとからなり、
前記上接続ピンの一端及び下接続ピンの一端は、夫々固定柱の両端から突出すると共に、夫々正極接続部を構成し、
一方、前記負極導電部材の両端には、夫々該正極導電部材における上接続ピンと下接続ピンの外周に位置するコイルスプリング状の負極接続部が形成されることを特徴とする請求項８に記載の電気的接続構造を備えたポールフレームセット、を提供する。
【００１９】
本願の請求項の１２発明は、前記電気的接続構造を備えたポールフレームセットは、前記電気接続モジュールの正極導電部材、及び負極導電部材に接続される１組の導線を具備する回路基板を有し、
前記発光素子は、前記回路基板に設置されると共に、前記導線により前記正極導電部材及び前記負極導電部材に電気接続される発光ダイオードであることを特徴とする請求項１１に記載の電気的接続構造を備えたポールフレームセット、を提供する。
【発明の効果】
【００２０】
本発明の電気的接続構造を備えたポールフレームセットは上述した構成を有するので、前記第１嵌合部及び第２嵌合部で連結部前記パイプ同士を連結させ、または２つ上のパイプを前記連結部材により連結させると、第１嵌合部の内側に位置する第１正極接続部及び第１負極接続部と第２嵌合部の内側に位置する第２正極接続部及び第２負極接続部とが夫々電気接続され、給電回路を構成する。例えばフレーム構成体を構成し連結されている複数のパイプの内の１つのパイプと電源とを接続させると、前記複数のパイプ内に設けられる発光素子を点灯させ、前記フレーム構成体の視覚効果を向上をさせることができる。
【図面の簡単な説明】
【００２１】
【図１】本発明に係る電気的接続構造を備えたポールフレームセットの第１実施例の分解斜視図である。
【図２】本発明に係る電気的接続構造を備えたポールフレームセットの第１実施例におけるパイプの側面断面図である。
【図３】本発明に係る電気的接続構造を備えたポールフレームセットの第１実施例におけるパイプ同士の連結状態を示す部分側面断面図である。
【図４】本発明に係る電気的接続構造を備えたポールフレームセットの第１実施例におけるパイプと電源との連結状態を示す部分側面断面図である。
【図５】本発明に係る電気的接続構造を備えたポールフレームセットの第１実施例におけるパイプと連結部材とを示す部分側面断面分解図である。
【図６】本発明に係る電気的接続構造を備えたポールフレームセットの第２実施例における連結部材の側面断面図である。
【図７】本発明に係る電気的接続構造を備えたポールフレームセットの第３実施例における連結部材の側面断面図である。
【図８】本発明に係る電気的接続構造を備えたポールフレームセットの第３実施例の連結状態を示す部分斜視図である。
【図９】本発明に係る電気的接続構造を備えたポールフレームセットにおけるパイプと連結部材とが一体に形成される第４実施例の側面断面図である。
【図１０】本発明に係る電気的接続構造を備えたポールフレームセットにおけるパイプと連結部材とが一体に形成される第５実施例の側面断面図である。
【図１１】本発明に係る電気的接続構造を備えたポールフレームセットにおけるパイプと連結部材とが一体に形成される第６実施例の側面断面図である。
【図１２】本発明に係る電気的接続構造を備えたポールフレームセットにおけるパイプと連結部材とが一体に形成される第７実施例の側面断面図である。
【図１３】本発明に係る電気的接続構造を備えたポールフレームセットにおけるパイプと連結部材とが一体に形成される第８実施例の側面断面図である。
【発明を実施するための形態】
【００２２】
以下、添付図面を参照して本発明の好適な実施の形態を詳細に説明する。なお、本発明は、以下に説明する実施形態に限定されるものではない。
【００２３】
図１に示すように、本発明に係る電気的接続構造を備えたポールフレームセットは、１つ以上のパイプ１０と、１つ以上の連結部材５０とを有する。
【００２４】
さらに図２に示すように、本発明の第１実施例において、また、前記パイプ１０は、透光性を有し、中空状を呈し、第一端と第２端とからなる互いに反対する両端と、該第一端に形成され、外径と内径と内周璧とを有する第１嵌合部１１と、該第２端に形成される第２嵌合部１２と、前記パイプ１０の内部に設けられる電気接続モジュールと、前記パイプ１０の内部に設けられる１つ以上の発光素子とを有する。
【００２５】
前記パイプ１０の第一端は、閉端状を呈し、該第一端には、孔１０１が穿設されると共に、前記第１嵌合部１１が径方向へ延出し形成され、環状を呈する。
【００２６】
前記パイプ１０の第２端は、開放端であり、該第２端には、前記第１嵌合部１１の外径に対応する内径を有し、前記第１嵌合部１１に嵌合することができる第２嵌合部１２が形成される。即ち、本実施例における前記第１嵌合部１１はオス端子形状を有するものであり、前記第２嵌合部１２はメス端子形状を有するものである。
【００２７】
前記電気接続モジュールは、正極導電部材２１と、負極導電部材２２とを有する。
【００２８】
本実施例において、前記電気的接続構造を備えたポールフレームセットはさらに、固定柱２０を有する。前記固定柱２０は、上端と、下端と、外径と、前記上端の近傍に形成され、円盤状である第１固定部２０１と、前記下端の近傍に形成される第２固定部２０２とを備える。前記固定柱２０における、前記第１固定部２０１から前記固定部２０の上端までの部分は、前記パイプの第一端の孔１０１から突出する。前記第１固定部２０１は、前記パイプ１０における孔１０１の内側の部分に係止される。また、前記固定柱２０の第２固定部２０２は、前記固定柱２０の下端から径方向へ延出され、前記負極導電部材２２を固定するためのものである。
【００２９】
前記正極導電部材２１は、前記発光素子に電気接続され、前記固定柱２０内に設けられると共に、本体と、両端と、前記両端に夫々形成される第１正極接続部２１１及び第２正極接続部２１２とを具備する。本実施例において、前記固定柱２０の上端と下端は平面状を呈し、夫々上端面と下端面を形成し、また、前記正極導電部材２１の本体は、細長いロッド状を呈し、前記固定柱２０内に軸方向に貫設され、前記正極導電部材２１の一端に形成される第１正極接続部２１１は、平板状を呈し、前記第１嵌合部１１の内側における前記固定柱２０の上端面に位置し、前記第２正極接続部２１２は、螺旋状を呈し、前記第２嵌合部１２の内側における、前記固定柱２０の下端面から突出する。
【００３０】
前記負極導電部材２２は、前記発光素子に電気接続され、前記正極導電部材２１に接触しないように前記固定柱２０の外側に設けられると共に、本体と、両端と、前記両端に夫々形成される第１負極接続部２２１と第２負極接続部２２２とを具備する。本実施例において、前記負極導電部材２２の本体は、細長いプレート状を呈し、前記負極導電部材２２の一端に形成される第１負極接続部２２１は、前記第１嵌合部１１の内側に位置し、ボウル状を呈し、前記第１嵌合部１１の内径に対応する外径と、前記第１嵌合部１１の内周壁に当接される外環壁と、中央位置と、該中央位置に形成され、前記固定柱２０の上端の近傍を挿入させる貫通穴と、前記固定柱２０の外径に対応する内径を有する、前記負極導電部材２２を前記固定柱２０の上端の近傍に位置決めし嵌設させる内環壁とを有する。
また、前記負極導電部材２２の第２負極接続部２２２は、前記パイプ１０の第２嵌合部１２の内側に位置する湾曲な弾性プレートである。
【００３１】
前記パイプ１０の内部に設けられる１つ以上の発光素子は、前記電気接続モジュールの正極導電部材２１及び負極導電部材２２と電気接続される。本実施例において、本発明に係る電気的接続構造を備えたポールフレームセットは、前記電気接続モジュールの正極導電部材２１、及び負極導電部材２２に接続される１組の導線を具備する回路基板３２を有し、前記発光素子は、前記回路基板３２に設置されると共に、前記導線３３により前記正極導電部材２１及び前記負極導電部材２２に電気接続される発光ダイオード３１である。
【００３２】
また、前記発光素子へ給電するために、前記パイプ１０と、嵌合部と電気接続手段とを有する給電部材４０とを電気接続させてもよい。図４に示すように、前記給電部材４０は、前記パイプ１０の第１嵌合部１１及び第２嵌合部１２に夫々対応する第２嵌合部及び第１嵌合部を具備する。本実施例において、前記給電部材４０は、複数の第１嵌合部４１と、前記第１嵌合部４１内に配置される正極プレート４２及び負極プレート４３と、前記正極プレート４２及び負極プレート４３に電気接続される１つ以上の電池（図面にない）とを備える。前記パイプ１０の第２嵌合部１２と、前記給電部材４０の第１嵌合部４１とを電気接続させると、電気供給することができる。
【００３３】
さらに図３に示すように、パイプ１０にもう１つのパイプ１０’を嵌合させると、前記給電部材４０は、前記給電部材４０に電気接続されるパイプ１０を通して、前記もう１つのパイプ１０’に給電することができる。
【００３４】
本発明は、前記パイプ１０、１０’同士からなる構造、並ぶにさらに前記連結部材５０を含む構造を用い、フレーム構成体を構成するものであるので、前記連結部材５０も電気接続手段を具備する。図５に示すように、前記連結部材５０は主に、中空の本体と、連結部５１と、通電ユニットとを具備する。
【００３５】
本実施例において、前記連結部材５０の本体は、外周壁を有する円筒状を呈する。また、前記連結部材５０は、前記連結部材５０の本体における、互いに反対する位置に形成される、メス端子形状を有する２つの連結部５１を備え、各前記連結部５１は、前記パイプ１０の第１嵌合部１１に対応し嵌合させるものであるので、前記パイプ１０の第１嵌合部１１と、前記連結部５１とを嵌合させることができる。
【００３６】
なお、前記通電ユニットは、前記連結部材５０の本体内に設けられ、固定柱６０と、前記固定柱６０内に設けられる正極通電部材６１と、前記固定柱６０外に設けられる負極通電部材６２とを有する。前記正極通電部材６１は、両端と、該両端に夫々形成されると共に、前記本体の連結部５１の内側に位置する正極接続弾性端子６１０とを有し、前記負極通電部材６２は、両端と、該両端に夫々形成されると共に、前記連結部材５０の本体の連結部５１の内側に位置する負極接続弾性端子６２０とを有する。
【００３７】
１つの前記パイプ１０の第１嵌合部１１と、前記連結部材５０の１つの連結部５１とを嵌合させると、前記第１嵌合部１１の内側に位置する前記第１正極接続部２１１及び第１負極接続部２２１と、夫々前記連結部５１の内側に位置する正極接続弾性端子６１０及び負極接続弾性端子６２０とは電気接続されるので、さらにもう１つのパイプ（図面にない）と、前記連結部材５０のもう１つの連結部５１とを嵌合させると、もう１つのパイプは、前記連結部材５０のみならず、前記パイプ１０にも電気接続される。
【００３８】
上述した実施例においては、前記パイプ１０は中空の円管状を呈し、夫々両端に形成される第１嵌合部１１と第２嵌合部１２とが互いに嵌合させることができるものであり、また、前記連結部材５０は円筒状を呈するものであるが、前記パイプ１０は、角管状を呈し、前記第１嵌合部１１及び第２嵌合部１２が角管状または環状を呈するものであってもよい。図６に示すように、連結部材５０’は、立方形状を呈し、前記連結部５１’は前記パイプの第１嵌合部１１の形状に対応する角管状または環状を呈するものであってもよい。
【００３９】
さらに図７に示すように、連結部材５０”は、中空な立方形状を呈し、対称的な４つの側壁と、上壁と、下壁と、前記４つの側壁に夫々形成される４つの連結部５１”と、内部に設けられる通電ユニットと、固定柱６０”と、前記固定柱６０”内に設けられる正極通電部材６１”と、前記固定柱６０”外に設けられる負極通電部材６２”とを有する。
【００４０】
前記固定柱６０”は、十字形を呈し、互いに直交する、末端が夫々前記４つの連結部５１”の内側に対応する４つのアームと、前記４つのアームの末端の近傍に夫々形成され、前記負極通電部材６２”を固定させるための固定部６０１”とを有する。
【００４１】
前記正極通電部材６１”は、十字形を呈し、前記固定柱６０”内に組み込まれ、夫々前記固定柱６０”の４つのアームの末端から突出される４つの端部と、前記４つの端部に夫々形成される正極接続弾性端子６１０”とを備える。
【００４２】
前記負極通電部材６２”は、複数の端部と、前記端部に夫々形成され、前記連結部５１”に位置するる負極接続弾性端子６２０”とを有する。
【００４３】
上述した連結部材５０”は、４つのパイプ１０を夫々前記４つの連結部５１”に嵌合させると共に、前記連結部材５０”内に設けられる電気接続モジュールにより電気接続させることにより、フレーム構成体を構成できる。また、図８に示すように、前記連結部材５０”は、フレーム構成体を構成させるために、各方向からパイプ１０を嵌合させる、上壁、下壁及び４つの側壁に夫々形成される６つの連結部５１”を有しても良い。
【００４４】
前記連結部材５０”における上壁、下壁及び４つの側壁に夫々形成される６つの連結部に対応するために、前記連結部材５０”内には、前記６つの連結部に対応すると共に、互いに直交する、立体的十字形を呈する６つのアームを備える固定柱が設けられる。前記固定柱内に、立体的十字形を呈する前記する正極通電部材が設けられると共に、前記固定柱外に立体的十字形を呈する負極通電部材が設けられる。前記正極通電部材は、連結部の内側に位置する正極接続弾性端子を有すると共に、前記負極通電部材は、連結部の内側に位置する負極接続弾性端子を有する。
【００４５】
また、上述した各実施例において、パイプの両端に夫々形成される第１嵌合部及び第２嵌合部は、互いに嵌合させることができるオス端子形状及びメス端子形状を有するものであり、前記連結部材は、前記パイプと嵌合するための、前記パイプの第１嵌合部及び／または第２嵌合部に対応する連結部を有する。本発明に属する技術の分野における通常の知識を有する者であれば、以下の変形実施形態は理解し得るものである：パイプの第１嵌合部及び第２嵌合部は共にオス端子形状を有するものであってもよく、パイプの第１嵌合部及び第２嵌合部は共にメス端子形状を有するものであっても構わない。同様に、パイプ内部に設けられる電気接続モジュールの正極導電部材の両端に形成される正極接続部は、同形状のものであっても良い。連結部材の連結部は、メス端子形状であっても良く、オス端子形状であっても良い。また、連結部材に、メス端子形状を有する連結部、並びにオス端子形状を有する連結部が同時に設けられても構わない。これにより、異なる形状を有するパイプを便利に嵌合させるができる。なお、立体的なフレーム構成体を構成させるために、連結部材に、前記実施例と異なる数量の連結部が形成されても良く、前記実施例に開示したものと異なる角度を有する連結部が形成されても良い。
【００４６】
さらに図９乃至図１１に示すように、本発明の他の具体な実施例において、パイプ７０と連結部材８０は一体に形成されるものである。前記パイプ７０の両端には、夫々連結部材８０が一体に形成される。また、前記パイプ７０の両端に形成される前記連結部材８０は異なる形状を有するものであっても良い。前記連結部材８０は１つ以上の連結部８１を有する。前記パイプ７０は、前記連結部材８０の連結部８１に連通され、内部に固定柱７１、正極導電部材７２１及び負極導電部材７３１が設置される。
【００４７】
前記固定柱７１のは、両端と、前記両端の近傍に夫々設けられる第1固定部７４１と第２固定部７４２とを有する。本実施例においては、前記固定柱７１の両端は夫々平面状を呈し、上端面及び下端面に形成される。前記正極導電部材７２１は、前記固定柱７１内に設けられ、正極接続部７２２を有する。前記正極接続部７２２は、螺旋状を呈し、前記固定柱７１の上端面及び下端面から突出すると共に、前記連結部材８０の連結部８１内に位置する。
【００４８】
前記負極導電部材７３１は、前記正極導電部材７２１に接触しないように前記固定柱７１に設けられると共に、前記固定柱７１の第1固定部７４１及び第２固定部７４２に位置決めされ、１つ以上の負極接続部７３２を有する。前記負極接続部７３２は、両端を有し、前記連結部８１内における、正極接続部７２２に対応する位置に設けられる。
【００４９】
前記パイプ７０は、内部に設けられる、前記正極導電部材７２１及び負極導電部材７３１に接続される１つ以上の発光素子を有する。本実施例における電気的接続構造を備えたポールフレームセットは、前記電気接続モジュールの正極導電部材７２１、及び負極導電部材７３１に接続される１組の導線９３を具備する回路基板９２を有する。また、前記発光素子は、前記回路基板９２に設置されると共に、前記導線９３により前記正極導電部材７２１及び前記負極導電部材７３１に電気接続される発光ダイオード９１である。
【００５０】
一体に形成される前記パイプ７０及び連結部材８０と他のパイプ７０及び連結部材８０とを結合させると、互いに嵌合される連結部８１内の正極接続部７２２及び負極接続部７３２と、前記他のパイプ７０及び連結部材８０の正極接続部７２２及び負極接続部７３２とが電気接続されるので、前記パイプ７０内に設けられる回路基板９２に設置される発光ダイオード９１を点灯させることができる。
【００５１】
本発明の他の実施例は、例えば図１２及び図１３に示すように、前記実施例と略同様の構成を有するが、正極導電部材及び負極導電部材に関する点に異なるものである。
【００５２】
本実施例において、前記パイプ７０の内部には、中空な固定柱７１が設けられる。前記正極導電部材７２１は、上接続ピン７５１と、下接続ピン７５２と、スプリング７５３とからなるものであり、前記上接続ピン７５１の一端及び下接続ピン７５２の一端は、夫々固定柱７１の両端から突出すると共に、夫々正極接続部を構成する。前記スプリング７５３は、前記上接続ピン７５１の他端を付勢させる上スプリングと、下接続ピン７５２の他端を付勢させる下スプリングとからなるものである。前記スプリング７５３は前記回路基板９２に設置される発光ダイオード９１に電気接続される。
【００５３】
一方、前記負極導電部材７３１の両端には、夫々該正極導電部材７２１における上接続ピン７５１と下接続ピン７５２の外周に位置するコイルスプリング状の負極接続部７３２が形成される。前記コイルスプリング状の負極接続部７３２は、上から下へ行くほど螺旋が小径になるテーパー状に形成されると共に、前記上接続ピン７５１及び下接続ピン７５２の周辺に位置する。
【００５４】
同様に、前記各実施例において、連結部は、便利に互いに嵌合させることができるオス端子形状及びメス端子形状を有する物であっても良い。本発明に属する技術の分野における通常の知識を有する者であれば、以下の変形実施形態は理解し得るものである：連結部は、オス端子形状であってもよく、メス端子形状を有する物であってもよい。また、多様な角度で異なる数量の部材により立体的な構成を構成させるために、連結部材に、メス端子形状を有する連結部、並びにオス端子形状を有する連結部が交互に設けられても構わない。
【産業上の利用可能性】
【００５５】
本発明は、互いに連結すると共に、電気接続を構成させることができるパイプと、前記パイプに連結すると共に、電気接続を構成させることができる連結部材と、前記パイプ内に取り付けられ、前記パイプ及び連結部材の電気接続からなる給電回路により電気を供給される光源とを有し、組み合わせ玩具の視覚効果を向上をさせることができる。
【符号の説明】
【００５６】
１０、１０’    パイプ
１０１            孔
１１                第１嵌合部
１２                第２嵌合部
２０                固定柱
２０１            第１固定部
２０２            第２固定部
２１                正極導電部材
２１１            第１正極接続部
２１２            第２正極接続部
２２１            第１負極接続部
２２２            第２負極接続部
２２                負極導電部材
３１                発光ダイオード
３２                回路基板
３３                導線
４０                給電部材
４１                第１嵌合部
４２                正極プレート
４３                及び負極プレート
５０、５０’、５０”      連結部材
５１、５１’、５１”      連結部
６０、６０”    固定柱
６０１、６０１”    固定部
６１、６１”    正極通電部材
６１０、６１０”    正極接続弾性端子
６２、６２”    負極通電部材
６２０、６２０”    負極接続弾性端子
７０                パイプ
７１                固定柱
７２１            正極導電部材
７２２            正極接続部
７３１            負極導電部材
７３２            負極接続部
７４１            第1固定部
７４２            第２固定部
７５１            上接続ピン
７５２            下接続ピン
７５３            スプリング
８０                連結部材
８１                連結部
９１                発光ダイオード
９２                回路基板
９３                導線
【図１】
2012200299.tif 000003
【図２】
2012200299.tif 000004
【図３】
2012200299.tif 000005
【図４】
2012200299.tif 000006
【図５】
2012200299.tif 000007
【図６】
2012200299.tif 000008
【図７】
2012200299.tif 000009
【図８】
2012200299.tif 000010
【図９】
2012200299.tif 000011
【図１０】
2012200299.tif 000012
【図１１】
2012200299.tif 000013
【図１２】
2012200299.tif 000014
【図１３】
2012200299.tif 000015